(57)【要約】発明は快速連接緩み防止装置を開示し、第１主ロッドと、第２主ロッドと、連接緩み防止装置と、を含み、連接緩み防止装置は、第１ジョイント、第２ジョイント、及び第１ジョイントまたは第２ジョイントに摺動可能に被装され、且つ第１ジョイントの下端または第２ジョイントの上端から滑脱することを制限する連接構造ねじれを含み、２つのジョイントの対向する端部の間には、相互に接合して、２つのジョイントの相対回転の発生を防止する緩み防止構造が設けられ、連接構造は取り外し可能に連接する過程において、第１ジョイントの下端と第２ジョイントの上端との間の緩み防止構造の結合を駆動する。本発明において、連接構造は第１ジョイントと第２ジョイントとを当接且つ密に連接させ、同時に、緩み防止構造は連接した後の第１主ロッド及び第２主ロッドに相対回転を発生させないことによって、撮影撮像機器の安定性に対する要求を答え、また、回転防止構造は連接する時に連接構造の駆動によって行われるため、快適な連接を実現できる。【選択図】図３
2017501358.tif 000002
【特許請求の範囲】
【請求項１】
第１主ロッド(１)と、第２主ロッド(３)と、前記第１主ロッド(１)と前記第２主ロッド(３)とを一緒に連接する連接緩み防止装置と、を含む、快速連接緩み防止装置において、
前記連接緩み防止装置は、
前記第１主ロッド(１)に設置される第１ジョイント(１１)、
前記第２主ロッド(３)に設置される第２ジョイント(３１)、
及び前記第１ジョイント(１１)に摺動可能に被装され、且つ前記第１ジョイント(１１)の前記第２ジョイント(３１)に向ける片端から滑脱することを制限し、または前記第２ジョイント(３１)に摺動可能に被装され、且つ前記第２ジョイント(３１)の前記第１ジョイント(１１)に向ける片端から滑脱することを制限する連接構造を含み、
前記第１ジョイント(１１)と前記第２ジョイント(３１)との対向する端部の間に、相互に結合して、前記第１ジョイント(１１)と前記第２ジョイント(３１)との相対回転の発生を防止する回転防止構造が設けられ、前記連接構造は、それに被装される前記第１ジョイント(１１)または前記第２ジョイント(３１)から前記第２ジョイント(３１)または前記第１ジョイント(１１)に滑り、且つ前記第２ジョイント(３１)または第１ジョイント(１１)との取り外し可能に連接する過程において、それに被装される前記第１ジョイント(１１)または前記第２ジョイント(３１)を摺動するように駆動し、前記第１ジョイント(１１)と前記第２ジョイント(３１)との対向する端部の間の前記回転防止構造を結合させることを特徴とする快速連接緩み防止装置。
【請求項２】
前記回転防止構造は前記第１ジョイント(１１)の端部に成形される係着ヘッド(１１１)または係着溝(３１２)、及び前記係着ヘッド(１１１)または係着溝(３１２)と係合し、前記第２ジョイント(３１)の端部に成形される係着溝(３１２)または係着ヘッド(１１１)を含むことを特徴とする請求項１に記載の快速連接緩み防止装置。
【請求項３】
前記連接構造は連接ねじれ(１２)であり、前記連接ねじれ(１２)が前記第１ジョイント(１１)に被装され、且つ前記連接ねじれ(１２)と前記第２ジョイント(３１)との間がねじを通じて取り外し可能に連接されることを特徴とする請求項１または２に記載の快速連接緩み防止装置。
【請求項４】
前記第１ジョイント(１１)の前記第１主ロッド(１)に向ける片端は上が狭い下が広い円錐状になっており、前記連接ねじれ(１２)の前記第１主ロッド(１)に向ける片端には対応する円錐状チャンバー(１２１)が成形され、前記連接ねじれ(１２)の前記第２ジョイント(３１)に向ける片端の内壁には雌ネジ(１２２)が成形され、前記第２ジョイント(３１)の外壁には係合する雄ネジ(３１１)が成形されることを特徴とする請求項３に記載の快速連接緩み防止装置。
【請求項５】
前記第２ジョイント(３１)の外部にはさらに前記第２ジョイント(３１)における前記雄ネジ(３１１)による手擦れを防止するジョイント保護カバー(４)が被装されることを特徴とする請求項４に記載の快速連接緩み防止装置。
【請求項６】
前記ジョイントカバーが中空構造になっており、前記ジョイント保護カバー(４)の前記第２主ロッド(３)に向ける片端の円周内壁が前記第２ジョイント(３１)と螺接され、前記ジョイント保護カバー(４)の前記第１ジョイント(１１)に向ける片端の円周内壁と前記第２ジョイント(３１)の円周外壁との間の隙間が、前記第１ジョイント(１１)に被装される前記連接ねじれ(１２)の前記第２ジョイント(３１)に向ける片端の端部ねじ込みに適することを特徴とする請求項５に記載の快速連接緩み防止装置。
【請求項７】
前記連接構造は連接ねじれ(１２)であり、前記連接ねじれ(１２)が前記第２ジョイント(３１)に被装され、且つ前記連接ねじれ(１２)と前記第１ジョイント(１１)との間がねじを通じて取り外し可能に連接されることを特徴とする請求項１または２に記載の快速連接緩み防止装置。
【請求項８】
前記第２ジョイント(３１)の前記第１ジョイント(１１)に向ける片端は上が広い下が狭い円錐状になっており、前記連接ねじれ(１２)の前記第２主ロッド(３)に向ける片端には対応する円錐状チャンバー(１２１)が成形され、前記連接ねじれ(１２)の前記第１ジョイント(１１)に向ける片端の内壁には雌ネジ(１２２)が成形され、前記第１ジョイント(１１)の外壁には係合する雄ネジ(３１１)が成形されることを特徴とする請求項７に記載の快速連接緩み防止装置。
【請求項９】
前記第１ジョイント(１１)の外部にはさらに前記第１ジョイント(１１)における前記雄ネジ(３１１)による手擦れを防止するジョイント保護カバー(４)が被装されることを特徴とする請求項８に記載の快速連接緩み防止装置。
【請求項１０】
前記ジョイントカバーが中空構造になっており、前記ジョイント保護カバー(４)の前記第１主ロッド(１)に向ける片端の円周内壁が前記第１ジョイント(１１)と螺接され、前記ジョイント保護カバー(４)の前記第２ジョイント(３１)に向ける片端の円周内壁と前記第１ジョイント(１１)の円周外壁との間の隙間が、前記第２ジョイント(３１)に被装される前記第２ジョイント(３１)における前記連接ねじれ(１２)の上端ねじ込みに適することを特徴とする請求項９に記載の快速連接緩み防止装置。
【請求項１１】
前記係着ヘッド(１１１)は前記第１ジョイント(１１)の前記第２ジョイント(３１)に向ける片端に成形される上が広い下が狭いピラミッド状であり、前記係着溝(３１２)は前記第２ジョイント(３１)の前記第１ジョイント(１１)に向ける片端に成形されるピラミッド状チャンバーであることを特徴とする請求項２〜１０のいずれか１項に記載の快速連接緩み防止装置。
【請求項１２】
前記係着ヘッド(１１１)は前記第２ジョイント(３１)の前記第１ジョイント(１１)に向ける片端に成形される上が狭い下が広いピラミッド状であり、前記係着溝(３１２)は前記第１ジョイント(１１)の前記第２ジョイント(３１)に向ける片端に成形されるピラミッド状チャンバーであることを特徴とする請求項２〜１０のいずれか１項に記載の快速連接緩み防止装置。
【請求項１３】
前記ピラミッド状が六角錐台に成形され、前記ピラミッド状チャンバーは対応する六角錐台状のノッチに成形されることを特徴とする請求項１１または１２に記載の快速連接緩み防止装置。
【請求項１４】
前記第２ジョイント(３１)の前記第２主ロッド(３)に向ける片端が前記第２主ロッド(３)内に挿入され、且つ前記第２主ロッド(３)と螺接され、前記第２ジョイント(３１)と前記第２主ロッド(３)との相互係合する処にはさらに粘着剤が塗装されることを特徴とする請求項１〜１３のいずれか１項に記載の快速連接緩み防止装置。
【請求項１５】
前記第１ジョイント(１１)の前記第１主ロッド(１)に向ける片端の端面には軸方向の段差孔(１１２)が成形され、前記第１主ロッド(１)の片端が前記段差孔(１１２)内に挿入され、且つ前記段差孔(１１２)の段差面に当接し、前記第１主ロッド(１)の片端の端部外壁と前記第１ジョイント(１１)の内壁とがネジ方法によって螺接され、前記第１主ロッド(１)と前記第１ジョイント(１１)との相互係合する面にはさらに粘着剤が塗装されることを特徴とする請求項１〜１４のいずれか１項に記載の快速連接緩み防止装置。
【発明の詳細な説明】
【技術分野】
【０００１】
本発明は連接装置に関し、具体的にはロッドとロッドとの間の快速連接緩み防止装置に関する。
【背景技術】
【０００２】
市場に販売されまたは使用されている従来の撮影トライポッドは、各の１級継手と２級継手とのロックはジョイント、ロックスリーブ、及び該二者の間の１つまたは複数の開口ロックリングのロックすることによって実現される。実際の使用効果から見ると、このような構造は手段が簡単であるが、撮影ポッドがロックされて撮影する時にピンの間がロックされて使用することは防振度が高くなく、且つピンをロックする時にプラスチック部材のピン内に係止されることが発生され、開口ロックリングが複数個且つ円錐度が設けられなかったため、ユーザが撮影ピン内の砂塵を除去する時に、元に挿入することができず、ユーザに多くの迷惑をかけた。
【０００３】
前記問題を解決するため、中国特許文献ＣＮ２０１３１０７２７は撮影トライポッド伸縮ピンのロック装置を開示し、外部にネジの設けられるジョイントが設けられる１級継手、２級継手、ロックリング、ロックスリーブを含み、ロックスリーブの内部にはネジが設けられ、ロックリングの上部には円錐度開口を有する外円円錐面が設けられ、ジョイントの下端には外円錐面と係合する内円錐面が設けられ、ロックリングには位置決めボスを有し、ロックスリーブには逃げ溝が設けられる。即ち、前記特許文献に記載の撮影トライポッド伸縮ピンのロック装置において、ロックスリーブを回転し、ロックスリーブ内の雌ネジとジョイントの雄ネジとの相互作用することによって、ロックスリーブとジョイントとの間の円錐度開口を有するロックリングに押圧を受けさせ、円錐度開口を有するロックリングの外円錐面とジョイントの下端内円錐面とが干渉され、円錐度開口を有するロックリングの位置決め段差がロックスリーブの逃げ溝の内部に係止され、円錐度開口を有するロックリングの下端斜面がロックスリーブの内斜面と干渉し、円錐度開口を有するロックリングに２級継手を密に抱き合わせ、それによって、２級継手をロックする目的を達する。
【０００４】
但し、前記特許文献に記載の撮影トライポッド伸縮ピンのロック装置において、円錐度開口を有するロックリングを押圧することによって、円錐度を有するロックリングの外円錐面をジョイントの下端の内円錐面に係止させることによって、１級継手と２級継手とのロックを実現するが、該ロック装置の製造及び組み立てする時に、円錐度を有するロックリングとロックスリーブにおける雌ネジとの同軸度に対する要求が比較的高く、そうしなければ、ロックスリーブとジョイントとの間のネジロック、及びロックリングとジョイント内円錐アームとの間の挿入が相互に干渉することによって快速に取り付け、ひいては取り付けることができなくなる。
【発明の概要】
【発明が解決しようとする課題】
【０００５】
そのため、本発明が解決しようとする技術的な課題は、従来の技術における撮影トライポッド伸縮ピンのロック装置構造が非合理的でるため、快速・確実な連接を実現できない欠陥に鑑み、それによって、構造が合理的で、撮影ポッドに用いられることができる快速連接緩み防止装置を提供することにある。
【課題を解決するための手段】
【０００６】
前記技術的な課題を解決するため、本発明は快速連接緩み防止装置であって、第１主ロッドと、第２主ロッドと、前記第１主ロッドと前記第２主ロッドとを一緒に連接する連接緩み防止装置と、を含み、前記連接緩み防止装置は、
前記第１主ロッドに設置される第１ジョイント、
前記第２主ロッドに設置される第２ジョイント、
及び前記第１ジョイントに摺動可能に被装され、且つ前記第１ジョイントの前記第２ジョイントに向ける片端から滑脱することを制限し、または前記第２ジョイントに摺動可能に被装され、且つ前記第２ジョイントの前記第１ジョイントに向ける片端から滑脱することを制限する連接構造を含み、
前記第１ジョイントの下端と前記第２ジョイントの対向する端部との間に、相互に結合して、前記第１ジョイントと前記第２ジョイントとの相対回転の発生を防止する回転防止構造が設けられ、前記連接構造は、それに被装される前記第１ジョイントまたは前記第２ジョイントから前記第２ジョイントまたは前記第１ジョイントに滑り、且つ前記第２ジョイントまたは第１ジョイントとの取り外し可能に連接する過程において、それに被装される前記第１ジョイントまたは前記第２ジョイントを摺動するように駆動し、前記第１ジョイントと前記第２ジョイントとの対向する端部の間の前記回転防止構造を結合させる。
【０００７】
前記回転防止構造は前記第１ジョイントの端部に成形される係着ヘッドまたは係着溝、及び前記係着ヘッドまたは係着溝と係合し、前記第２ジョイントの端部に成形される係着溝または係着ヘッドを含む。
【０００８】
前記連接構造は連接ねじれであり、前記連接ねじれが前記第１ジョイントまたは前記第２ジョイントに被装され、且つ前記連接ねじれと前記第２ジョイントまたは前記第１ジョイントとの間がねじを通じて取り外し可能に連接される。
【０００９】
前記第１ジョイントの前記第１主ロッドに向ける片端は上が狭い下が広い円錐状になっており、前記連接ねじれの前記第１主ロッドに向ける片端には対応する円錐状チャンバーが成形され、前記連接ねじれの前記第２ジョイントに向ける片端の内壁には雌ネジが成形され、前記第２ジョイントの外壁には係合する雄ネジが成形される。
【００１０】
前記第２ジョイントの外部にはさらに前記第２ジョイントにおける前記雄ネジによる手擦れを防止するジョイント保護カバーが被装される。
【００１１】
前記ジョイントカバーが中空構造になっており、前記ジョイント保護カバーの下端円周内壁が前記第２ジョイントと螺接され、前記ジョイント保護カバーの前記第２主ロッドに向ける片端の円周内壁と前記第２ジョイントの円周外壁との間の隙間が、前記第１ジョイントに被装される前記連接ねじれの前記第２ジョイントに向ける片端のねじ込みに適する。
【００１２】
前記連接構造は連接ねじれであり、前記連接ねじれが前記第２ジョイントに被装され、且つ前記連接ねじれと前記第１ジョイントとの間がねじを通じて取り外し可能に連接される。
【００１３】
前記第２ジョイントの前記第１ジョイントに向ける片端は上が広い下が狭い円錐状になっており、前記連接ねじれの前記第２主ロッドに向ける片端には対応する円錐状チャンバーが成形され、前記連接ねじれの前記第１ジョイントに向ける片端の内壁には雌ネジが成形され、前記第１ジョイントの外壁には係合する雄ネジが成形される。
【００１４】
前記第１ジョイントの外部にはさらに前記第１ジョイントにおける前記雄ネジによる手擦れを防止するジョイント保護カバーが被装される。
【００１５】
前記ジョイントカバーが中空構造になっており、前記ジョイント保護カバーの前記第１主ロッドに向ける片端の円周内壁が前記第１ジョイントと螺接され、前記ジョイント保護カバーの前記第２ジョイントに向ける片端の円周内壁と前記第２ジョイントの円周外壁との間の隙間が、前記第２ジョイントに被装される前記連接ねじれの前記第１主ロッドに向ける片端のねじ込みに適する。
【００１６】
前記係着ヘッドは前記第１ジョイントの前記第２ジョイントに向ける片端に成形される上が広い下が狭いピラミッド状であり、前記係着溝は前記第２ジョイントの前記第１ジョイントに向ける片端に成形されるピラミッド状チャンバーである。
【００１７】
前記係着ヘッドは前記第２ジョイントの前記第１ジョイントに向ける片端に成形される上が狭い下が広いピラミッド状であり、前記係着溝は前記第１ジョイントの前記第２ジョイントに向ける片端に成形されるピラミッド状チャンバーである。
【００１８】
前記ピラミッド状が六角錐台に成形され、前記ピラミッド状チャンバーは対応する六角錐台状のノッチに成形される。
【００１９】
前記第２ジョイントの前記第２主ロッドに向ける片端が前記第２主ロッド内に挿入し、且つ前記第２主ロッドと螺接され、前記第２ジョイントと前記第２主ロッドとの相互係合する処にはさらに粘着剤が塗装される。
【００２０】
前記第１ジョイントの前記第１主ロッドに向ける片端の端面には軸方向の段差孔が成形され、前記第１主ロッドの片端が前記段差孔内に挿入され、且つ前記段差孔の段差面に当接し、前記第１主ロッドの片端の端部外壁と前記第１ジョイントの内壁とがネジ方法によって螺接され、前記第１主ロッドと前記第１ジョイントとの相互係合する面にはさらに粘着剤が塗装される。
【発明の効果】
【００２１】
本発明の前記技術的解決手段は従来の技術と比べ以下の長所を有する。
(１)  本発明において、前記連接緩み防止装置は、前記第１主ロッドに設置される第１ジョイント、前記第２主ロッドに設置される第２ジョイント、及び前記第１ジョイントに摺動可能に被装され、且つ前記第１ジョイントの前記第２ジョイントに向ける片端から滑脱することを制限し、または前記第２ジョイントに摺動可能に被装され、且つ前記第２ジョイントの前記第１ジョイントに向ける片端から滑脱することを制限する連接構造を含み、前記第１ジョイントと前記第２ジョイントとの対向する端部の間に、相互に結合して、前記第１ジョイントと前記第２ジョイントとの相対回転の発生を防止する回転防止構造が設けられ、前記連接構造は、それに被装される前記第１ジョイントまたは前記第２ジョイントから前記第２ジョイントまたは前記第１ジョイントに滑り、且つ前記第２ジョイントまたは第１ジョイントとの取り外し可能に連接する過程において、それに被装される前記第１ジョイントまたは前記第２ジョイントを摺動するように駆動し、前記第１ジョイントと前記第２ジョイントとの対向する端部の間の前記回転防止構造を結合させ、即ち本発明において、前記連接構造を設置することによって、前記第１ジョイントと第２ジョイントとを当接且つ密に連接させ、同時に前記緩み防止構造を設置することによって、連接した後の前記第１主ロッドと前記第２主ロッドとの相対回転の発生をなくするため、前記連接緩み防止装置は構造が合理で、快速連接を実現できる。
【００２２】
(２)  本発明において、前記回転防止構造は前記第１ジョイントの端部に成形される係着ヘッドまたは係着溝、及び前記係着ヘッドまたは係着溝と係合し、前記第２ジョイントの端部に成形される係着溝または係着ヘッドを含み、前記係着ヘッド及び前記係着溝の設置は前記第１主ロッド及び前記第２主ロッドにロックされた後相対回転の発生をなくすだけでなく、前記第１主ロッド及び第２主ロッドを連接される過程において快速に繋がらせ、前記第１主ロッドと前記第２主ロッドとの間の快速ロックを実現する。
【００２３】
(３)  本発明において、前記連接構造は連接ねじれであり、前記連接ねじれが前記第１ジョイントに被装され、且つ前記連接ねじれと前記第２ジョイントとの間がネジを通じて取り外し可能に連接され、即ち本発明において、前記第１主ロッドと前記第２主ロッドとの間のロックは前記連接ねじれと前記第２ジョイントとの螺接することによって実現され、その構造が簡単で、且つロック効率が高い。
【００２４】
(４)  本発明において、前記第１ジョイントの前記第１主ロッドに向ける片端は上が狭い下が広い円錐状になっており、前記連接ねじれの前記第１主ロッドに向ける片端には対応する円錐状チャンバーが成形され、前記連接ねじれの前記第２ジョイントに向ける片端の内壁には雌ネジが成形され、前記第２ジョイントの外壁には係合する雄ネジが成形され、即ち本発明において、前記第１ジョイントは上が狭い下が広い円錐状のように設置され、前記第１ジョイントに被装される前記連接ねじれが前記第１ジョイントの前記第２ジョイントに向ける片端から滑脱することを防止でき、同時に、前記第１ジョイントと前記連接ねじれとの間は円錐面係合であるため、このように、回転して密にする過程において、前記連接ねじれは前記第１ジョイントに対して前記第２ジョイントに向けるある程度の押圧力を形成し、それによって、前記第１ジョイントと前記第２ジョイントとの間に密に当接させ、回転して密にした後相対摺動の発生をなくす。
【００２５】
(５)  本発明において、前記第２ジョイントの外部にはさらに前記第２ジョイントにおける前記雄ネジによる手擦れを防止するジョイント保護カバーが被装され、前記ジョイント保護カバーの設置は前記第２ジョイントにおける前記連接ねじれ部分と連接していない前記雄ネジが使用過程においてユーザの手またはその他の物件を擦ることを防止できる。
【００２６】
(６)  本発明において、前記ジョイントカバーが中空構造になっており、前記ジョイント保護カバーの前記第２主ロッドに向ける片端の円周内壁が前記第２ジョイントと螺接され、前記ジョイント保護カバーの前記第１ジョイントに向ける円周内壁と前記第２ジョイントの円周外壁との間の隙間が、前記第１ジョイントに被装される前記連接ねじれの前記第２ジョイントに向ける片端のねじ込みに適し、このように、前記第２ジョイントが取り外された時に、前記第２ジョイントにおける前記雄ネジが前記ジョイント保護カバーに保護されることができ、前記雄ネジの損壊を防止し、同時に、連接ねじれの連接端が内部に隠しているため、構造がコンパクトで、外観が美しい。
【００２７】
(７)  本発明において、前記連接構造は連接ねじれであり、前記連接ねじれが前記第２ジョイントに被装され、且つ前記連接ねじれと前記第１ジョイントとの間がネジを通じて取り外し可能に連接され、即ち本発明において、前記第１主ロッドと前記第２主ロッドとの間のロックは前記連接ねじれと前記第１ジョイントとの螺接することによって実現され、その構造が簡単で、且つロック効率が高い。
【００２８】
(８)  本発明において、前記第１ジョイントの外部にはさらに前記第１ジョイントにおける前記雄ネジによる手擦れを防止するジョイント保護カバーが被装され、前記ジョイント保護カバーの設置は前記第１ジョイントにおける前記連接ねじれ部分と連接していない前記雄ネジが使用過程においてユーザの手またはその他の物件を擦ることを防止できる。
【００２９】
(９)  本発明において、前記ジョイントカバーが中空構造になっており、前記ジョイント保護カバーの前記第１主ロッドに向ける片端の円周内壁が前記第１ジョイントと螺接され、前記ジョイント保護カバーの前記第２ジョイントに向ける片端の円周内壁と前記第１ジョイントの円周外壁との間の隙間が、前記第２ジョイントに被装される前記連接ねじれの前記第１ジョイントに向ける片端のねじ込みに適し、このように、前記第２主ロッドが取り外された時に、前記第１ジョイントにおける前記雄ネジが前記ジョイント保護カバーに保護されることができ、前記雄ネジの損壊を防止し、同時に、連接ねじれの連接端が内部に隠しているため、構造がコンパクトで、外観が美しい。
【００３０】
(１０)  本発明において、前記係着ヘッドは前記第１ジョイントの前記第２ジョイントに向ける片端に成形される上が広い下が狭いピラミッド状であり、前記係着溝は前記第２ジョイントの前記第１ジョイントに向ける片端に成形されるピラミッド状チャンバーで、多角円錐状ピラミッドの設置は前記係着ヘッドと前記係着溝との間の係合をより密にすることができ、前記第１ジョイントにおける係着ヘッドを前記第２ジョイントにおける係着溝に挿入した後、前記第１ジョイントと前記第２ジョイントとの間の相対回転の発生を無くすことができる。
【００３１】
(１１)  本発明において、前記係着ヘッドは前記第２ジョイントの前記第１ジョイントに向ける片端に成形される上が狭い下が広いピラミッド状であり、前記係着溝は前記第１ジョイントの前記第２ジョイントに向ける片端に成形されるピラミッド状チャンバーである。前記ピラミッド状が六角錐台に成形され、前記ピラミッド状チャンバーは対応する六角錐台状のノッチに成形され、多角ピラミッドの設置は前記係着ヘッドと前記係着溝との間の係合をより密にすることができ、前記第２ジョイントにおける係着ヘッドを前記第１ジョイントにおける係着溝に挿入した後、前記第１ジョイントと前記第２ジョイントとの間の相対回転の発生をなくすことができる。
【００３２】
(１２)  本発明において、前記第２ジョイントの前記第２主ロッドに向ける片端が前記第２主ロッド内に挿入され、且つ前記第２主ロッドと螺接され、前記第２ジョイントと前記第２主ロッドとの相互係合する処にはさらに粘着剤が塗装され、それによって、前記第２ジョイントを前記球状部材に密に連接させ、相対回転の発生をなくす。
【００３３】
(１３)  本発明において、前記第２ジョイントには転換連接プラットホームを連接することに適する連接構造が成形され、前記連接構造は前記第２ジョイントの前記第２主ロッドの片端に成形され、且つ前記回転連接プラットホームと連接することに適するネジ中心孔であり、且つ前記ネジ中心孔が前記ピラミッド状チャンバーと連通され、このように、前記第２ジョイントは前記ネジ中心孔及び前記回転連接プラットホームの回転連接ネジによって連接されることができ、取り外された前記第２主ロッドを前記回転連接プラットホームに連接した後１つの新しいポッドに転換させる。
【００３４】
(１４)  本発明において、前記第１ジョイントの前記第１主ロッドに向ける片端の端面には軸方向の段差孔が成形され、前記第１主ロッドの片端が前記段差孔内に挿入され、且つ前記段差孔の段差面に当接し、前記第１主ロッドの片端の端部外壁と前記第１ジョイントの内壁とがネジ方法によって螺接され、前記第１主ロッドと前記第１ジョイントとの相互係合する面にはさらに粘着剤が塗装され、第１ジョイントと前記主ロッドとの確実な連接を保証し、脱落の発生をなくす。
【００３５】
(１５)  本発明において、前記連接ねじれの前記第２主ロッドに向ける片端はフートピンとの連接することに適し、このように、前記第１主ロッドが取り外される時に、前記連接ねじれを通じて前記第１主ロッドの下端において前記フートピンを連接することができ、前記第１主ロッドを普通のモノポッドに転換させる。
【図面の簡単な説明】
【００３６】
本発明の内容をよりやすく理解させるように、以下、本発明の具体的な実施例を通じて且つ図面に合わせて、本発明に対して詳細に説明する。そのうち、
【図１】実施例１に記載の快速連接緩み防止装置の組み立て説明図である。
【図２】実施例１に記載の快速連接緩み防止装置の説明図である。
【図３】実施例１に記載の取り外された後の第１主ロッドの説明図である。
【図４】実施例１に記載の取り外された後の第２主ロッドの説明図である。
【図５】実施例２に記載の快速連接緩み防止装置の説明図である。
【００３７】
図面におけるマークは、１−第１主ロッド、１１−第１ジョイント、１１１−係着ヘッド、１１２−段差孔、１２−連接ねじれ、１２１−円錐状チャンバー、１２２−雌ネジ、３−第２主ロッド、３１−第２ジョイント、３２−連接構造、３１１−雄ネジ、３１２−係着溝、４−ジョイント保護カバー
【発明を実施するための形態】
【００３８】
以下、図面に合わせて、以下の実施例を使用して本発明に対してさらに説明する。
【実施例１】
【００３９】
図１〜４に示すように、本実施例に記載の快速連接緩み防止装置であって、第１主ロッド１と、第２主ロッド３と、前記第１主ロッド１と前記第２主ロッド３とを一緒に連接する連接緩み防止装置と、を含み、前記連接緩み防止装置は、前記第１主ロッド１に設置される第１ジョイント１１、前記第２主ロッド３に設置される第２ジョイント３１、及び前記第１ジョイント１１に摺動可能に被装され、且つ前記第１ジョイント１１の前記第２ジョイント３１に向ける片端から滑脱することを制限する連接構造１２を含み、前記第１ジョイント１１と前記第２ジョイント３１との対向する端部の間に、相互に結合して、前記第１ジョイント１１と前記第２ジョイント３１との相対回転の発生を防止する回転防止構造が設けられ、前記連接構造１２は、それに被装される前記第１ジョイント１１から前記第２ジョイント３１に滑り、且つ前記第２ジョイント３１との取り外し可能に連接する過程において、それに被装される前記第１ジョイント１１を摺動するように駆動し、前記第１ジョイント１１と前記第２ジョイント３１との対向する端部の間の前記回転防止構造を結合させる。本発明において、前記連接構造を設置することによって前記第１ジョイント１１と前記第２ジョイント３１とを当接且つ密に連接させ、同時に前記回転防止構造を設置することによって、連接された後の前記第１主ロッドと前記第２主ロッドとの間に相対回転の発生をなくし、それによって撮影撮像機材の安定性に対する要求を答え、より重要なのは、本発明の回転防止構造は連接する過程において連接構造の駆動によって行われるため、快適な連接を実現できる。
【００４０】
好ましくは前記連接構造は連接ねじれ１２であり、前記連接ねじれ１２が前記第１ジョイント１１に被装され、前記第１ジョイント１１の前記第１主ロッド１に向ける片端は上が狭い下が広い円錐状になっており、前記連接ねじれ１２の前記第１主ロッド１に向ける片端には対応する円錐状チャンバー１２１が成形され、前記連接ねじれ１２の前記第２ジョイント３１に向ける片端の内壁には雌ネジ１２２が成形され、前記第２ジョイント３１の外壁には係合する雄ネジ３１１が成形される。前記第１主ロッドと前記第２主ロッドとの間のロックは前記連接ねじれ１２と前記第２ジョイント３１との螺接することによって実現され、その構造が簡単で、且つロック効率が高い。本実施例において、前記第１ジョイント１１は上が狭い下が広い円錐状のように設置され、前記第１ジョイント１１に被装される前記連接ねじれ１２が前記第１ジョイント１１の前記第２ジョイント３１に向ける片端から滑脱することを防止でき、同時に、前記第１ジョイント１１と前記連接ねじれ１２との間は円錐面係合であるため、このように、回転して密にする過程において、前記連接ねじれ１２は前記第１ジョイント１１に対して前記第２ジョイント３１に向けるある程度の押圧力を形成し、それによって、前記第１ジョイント１１と前記第２ジョイント３１との間に密に当接させ、回転して密にした後相対摺動の発生をなくす。
【００４１】
本実施例において、前記回転防止構造は前記第１ジョイント１１の端部に成形される係着ヘッド１１１、及び前記係着ヘッド１１１と係合し、前記第２ジョイント３１の端部に成形される係着溝３１２を含み、前記係着ヘッド１１１と前記係着溝３１２との設置は前記第１主ロッド１及び前記第２主ロッド３をロックされた後相対に回転させないことができるだけでなく、前記第１主ロッド１及び前記第２主ロッド３を連接される過程において快速に繋がせることができ、前記第１主ロッド１と前記第２主ロッド３との間の快速ロックを実現する。好ましい実施形態として、本実施例において、前記係着ヘッド１１１は前記第１ジョイント１１の前記第２ジョイント３１に向ける片端に成形される上が広い下が狭いピラミッド状であり、前記係着溝３１２は前記第２ジョイント３１の前記第１ジョイント１１に向ける片端に成形されるピラミッド状チャンバーである。且つより好ましくは、前記ピラミッド状が六角錐台に成形され、前記ピラミッド状チャンバーは対応する六角錐台状のノッチに成形され、多角ピラミッドの設置は前記係着ヘッド１１１と前記係着溝３１２との間の係合をより密にすることができ、前記第１ジョイント１１における係着ヘッド１１１を前記第２ジョイント３１における係着溝３１２に挿入した後、第１ジョイント１１と前記第２ジョイント３１との間に相対回転の発生をなくす。
【００４２】
さらに、本実施例において、前記第２ジョイント３１の前記第２主ロッド３に向ける片端が前記第２主ロッド３内に挿入し、且つ前記第２主ロッド３と螺接される。前記第２ジョイント３１と前記第２主ロッド３との相互係合する処にはさらに粘着剤が塗装され、それによって、前記第２ジョイント３１を前記球状部材に密に連接させることができ、相対回転の発生をなくす。第２ジョイントは前記実施例のベースに、前記第１ジョイント１１の前記第１主ロッド１に向ける片端の端面には軸方向の段差孔１１２が成形され、前記第１主ロッド１の片端が前記段差孔１１２内に挿入され、且つ前記段差孔１１２の段差面に当接し、前記第１主ロッド１の片端の端部外壁と前記第１ジョイント１１の内壁とがネジ方法によって螺接され、且つ前記第１主ロッド１と前記第１ジョイント１１との相互係合する面にはさらに粘着剤が塗装され、それによって前記第１ジョイント１１と前記主ロッドとが確実に連接されることを保証し、脱落の発生をなくす。
【００４３】
本実施例において、前記第２ジョイント３１の外部にはさらに前記第２ジョイント３１における前記雄ネジ３１１による手擦れを防止するジョイント保護カバー４が被装され、前記ジョイント保護カバー４の設置は前記第２ジョイント３１における前記連接ねじれ１２部分と連接していない前記雄ネジ３１１が使用過程においてユーザの手またはその他の物件を擦ることを防止できる。好ましい実施形態として、本実施例において、前記ジョイントカバーが中空構造になっており、前記ジョイント保護カバー４の前記第２主ロッド３に向ける片端の円周内壁が前記第２ジョイント３１と螺接され、前記ジョイント保護カバー４の前記第１ジョイント１に向ける片端の円周内壁と前記第２ジョイント３１の円周外壁との間の隙間が、前記連接ねじれ１２の前記第２主ロッド３の片端のねじ込みに適し、前記第２主ロッド３が取り外された時に、前記第２ジョイント３１における前記雄ネジ３１１が前記ジョイント保護カバー４に保護されることができ、前記雄ネジ３１１の損壊を防止する。
【実施例２】
【００４４】
図５に示すように、本実施例２と実施例１との異なるところは、前記連接構造が前記第２ジョイント３１に設置されたものであるため、各部材の連接する関係には変化が発生され、具体的には、前記連接構造が摺動可能に前記第２ジョイント３１に被装され、且つ前記第２ジョイント３１の前記第１ジョイント１１に向ける片端から滑脱することを制限し、前記連接構造１２はそれに被装される前記第２ジョイント３１から前記第１ジョイント１１に滑り、且つ前記第１ジョイント１１との取り外し可能に連接する過程において、それに被装される前記前記第２ジョイント３１を摺動するように駆動し、前記第１ジョイント１１と前記第２ジョイント３１との対向する端部の間の前記回転防止構造を結合させる。
【００４５】
本実施例において、好ましくは前記連接構造は連接ねじれ１２であり、前記連接ねじれ１２に被装される前記第２ジョイント３１の前記第２主ロッド３に向ける片端は上が広い下が狭い円錐状になっており、前記連接ねじれ１２の前記第２主ロッド３に向ける片端には対応する円錐状チャンバー１２１が成形され、前記連接ねじれ１２の前記第１主ロッド１に向ける片端の内壁には雌ネジ１２２が成形され、前記第１ジョイント１１の外壁には係合する雄ネジ３１１が成形される。前記第１主ロッド１と前記第２主ロッド３との間のロックは前記連接ねじれ１２と前記第１ジョイント１１との螺接することによって実現され、その構造が簡単で、且つロック効率が高い。
【００４６】
さらに、本実施例において、回転防止構造は実施例と同じように設置され、当然、その他の実施例において、回転防止構造は実施例１と異なるように設置されてもよく、具体的には、回転防止構造における前記係着ヘッド１１１が前記第２ジョイント３１の前記第１主ロッド１の片端に成形される上が狭い下が広いピラミッドで、前記係着溝３１２が前記第１ジョイント１１の前記第２主ロッド３の片端に成形されるピラミッドチャンバーである。
【００４７】
前記連接構造が前記第２ジョイント３１に設置される構造上の変化に適するため、前記ジョイントカバー４が前記第１ジョイント１１の外部に被装され、前記第１ジョイント１１における前記雄ネジ３１１による手擦れを防止することに用いられる。
【００４８】
本実施例において、好ましくは前記ジョイントカバーの構造は、前記ジョイントカバーが中空構造になっており、前記ジョイント保護カバー４の上端の円周内壁が前記１ジョイント１１と螺接され、前記ジョイント保護カバー４の前記第２ジョイント３１に向ける片端の円周内壁と前記第２ジョイント３１の円周外壁との間の隙間が、前記第２ジョイント３１に被装される前記連接ねじれ１２の前記第１ジョイント１１に向ける片端のねじ込みに適し、該種類の構造のジョイントカバーはジョイントにおける雄ネジによる手擦れを防止できるだけでなく、且つ連接ねじれの連接端を内部に隠すことができ、構造がコンパクトで、外観が美しい。
【実施例３】
【００４９】
図１に示すように、本実施例において本発明の快速連接緩み防止装置のモノポッドにおける運用を紹介する。この時前記第１主ロッド１がモノポッドの主ロッドで、前記第２主ロッド３がモノポッドにおけるホルダで、通常短い支持棒の３脚ホルダである。主ロッドと３脚ホルダとの間は第１ジョイント１１、第２ジョイント、及び連接ねじれ１２を通じて取り外し可能に連接される。主ロッドと３脚ホルダとが一体に連接される時に高角度に撮影するモノポッドになり、主ロッドと３脚ホルダとが分離される時に、主ロッド下端の前記連接ねじれ１２の下端はフートピンと連接することに適し、普通のモノポッドに形成される。３脚ホルダにおける前記第２ジョイント３１にはさらに回転連接プラットホームを連接することに適する連接構造３２が成形される。３脚ホルダが該連接構造３２を通じて回転連接プラットホームに連接された後、低角度に撮影するトライポッドに形成される。本実施例において、前記連接構造３２が前記第２ジョイント３１の下端に成形され、且つ前記回転プラットホームと連接するネジ中心孔に適し、且つ前記ネジ中心孔と前記ピラミッド状チャンバーとが連接する。
【００５０】
明らかに、前記実施例は説明をはっきりするために挙がられた例のみであり、本実施例形態に対する制限ではない。本分野の当業者にとって、前記説明のベースにさらにその他の異なる手段の変化または変更を行うことができ、ここでは全ての実施形態に対して挙げることができず且つ必要がないが、これによって行った明らかに分かる変化または変更は依然本発明の保護範囲内に属すべきである。
【図１】
2017501358.tif 000003
【図２】
2017501358.tif 000004
【図３】
2017501358.tif 000005
【図４】
2017501358.tif 000006
【図５】
2017501358.tif 000007
【国際調査報告】
2017501358.tif 000008
2017501358.tif 000009
2017501358.tif 000010
2017501358.tif 000011
2017501358.tif 000012
2017501358.tif 000013